(57)【特許請求の範囲】
【請求項１】
シートで囲まれた薬剤収納部及び浮力材収納部を有すると共に、該薬剤収納部を外部に連通するように該シートに通水孔が設けられており、
該薬剤収納部に薬剤が収納され、
該浮力材収納部に浮力材が収納されて水面に浮上可能とされた薬剤添加器であって、
該シートが折り返されて一半側と他半側とされ、これら一半側と他半側とを接合する３条の接着部Ａ、接着部Ｂ及び接着部Ｃが、この折り返された部分に近い側からこの順に間隔をおいて且つ該折り返された部分の延在方向に延在しており、
該折り返された部分と該接着部Ａとの間に第１の薬剤収納部が形成され、該接着部Ａと該接着部Ｂとの間に該浮力材収納部が形成され、該接着部Ｂと該接着部Ｃとの間に第２の薬剤収納部が形成されることにより、該浮力材収納部の両サイドに該第１の薬剤収納部及び第２の薬剤収納部が配置されており、
該第１の薬剤収納部、浮力材収納部及び第２の薬剤収納部の一端側及び他端側を封じるように、該一半側と他半側とが接着部Ｄ及び接着部Ｅで接合されており、
該一半側及び他半側のうち該折り返された部分の一端側に連なる辺同士の縁部及び他端側に連なる辺同士の縁部を封じるように、該一半側と他半側とが接着部Ｆ及び接着部Ｇで接合されており、
該第１の薬剤収納部及び第２の薬剤収納部は円筒形となっており、
該第１の薬剤収納部に臨む該一半側及び他半側と、該第２の薬剤収納部に臨む該一半側及び他半側との４箇所には、それぞれ、複数の該通水孔が該第１の薬剤収納部及び第２の薬剤収納部の長手方向に一列に配列されており、各通水孔は該薬剤添加器の厚み方向中心から最も離隔した位置に配置されていることを特徴とする薬剤添加器。
【請求項２】
請求項１において、該シートは、合成樹脂フィルム、不織布又は織布よりなることを特徴とする薬剤添加器。
【発明の詳細な説明】
【技術分野】
【０００１】
本発明は、水中に薬剤を添加するための薬剤添加器に関するものであり、例えば冷却塔の冷却水に薬剤を添加する場合等に好適な薬剤添加器に関する。
【背景技術】
【０００２】
冷却塔の冷却水にスケール防止剤、スライム防止剤、腐蝕防止剤などの薬剤を添加するための薬剤添加器として、特公昭５６−２１４５１号公報に、通水孔を有すると共に、発泡スチロールの浮力によって水に浮くように構成された容器内に薬剤の錠剤を収納したものが記載されている。この容器を冷却塔の水面に浮遊させると、この通水孔から容器内に入り込んだ水が薬剤（錠剤）と接触し、薬剤成分が水に溶け込み、この薬剤成分溶解水が通水孔から容器外に拡散し、冷却水系に薬剤が添加される。
【０００３】
同号公報では、該容器はプラスチック成形体よりなる箱状のものである。
【特許文献１】特公昭５６−２１４５１号公報
【発明の開示】
【発明が解決しようとする課題】
【０００４】
上記特公昭５６−２１４５１号公報記載の薬剤添加器を実機の冷却塔に使用して観察したところ、容器内に薬剤の溶けムラが多くなりがちであることが見出された。なお、このように溶けムラが多くなる原因は、通水孔に近い一部の薬剤が容器外に溶け出すと、その跡が空所となり、この空所内の一部に水が局部的に流れる偏流ないしチャネリング現象が生じるためであると推定される。
【０００５】
本発明は、水面に浮遊させて水に薬剤成分を添加するよう構成された薬剤添加器において、薬剤の溶けムラを著しく少なくするか、全く解消することができる薬剤添加器を提供することを目的とする。
【課題を解決するための手段】
【０００６】
本発明の薬剤添加器は、シートで囲まれた薬剤収納部及び浮力材収納部を有すると共に、該薬剤収納部を外部に連通するように該シートに通水孔が設けられており、該薬剤収納部に薬剤が収納され、該浮力材収納部に浮力材が収納されて水面に浮上可能とされた薬剤添加器であって、該シートが折り返されて一半側と他半側とされ、これら一半側と他半側とを接合する３条の接着部Ａ、接着部Ｂ及び接着部Ｃが、この折り返された部分に近い側からこの順に間隔をおいて且つ該折り返された部分の延在方向に延在しており、該折り返された部分と該接着部Ａとの間に第１の薬剤収納部が形成され、該接着部Ａと該接着部Ｂとの間に該浮力材収納部が形成され、該接着部Ｂと該接着部Ｃとの間に第２の薬剤収納部が形成されることにより、該浮力材収納部の両サイドに該第１の薬剤収納部及び第２の薬剤収納部が配置されており、該第１の薬剤収納部、浮力材収納部及び第２の薬剤収納部の一端側及び他端側を封じるように、該一半側と他半側とが接着部Ｄ及び接着部Ｅで接合されており、該一半側及び他半側のうち該折り返された部分の一端側に連なる辺同士の縁部及び他端側に連なる辺同士の縁部を封じるように、該一半側と他半側とが接着部Ｆ及び接着部Ｇで接合されており、該第１の薬剤収納部及び第２の薬剤収納部は円筒形となっており、 該第１の薬剤収納部に臨む該一半側及び他半側と、該第２の薬剤収納部に臨む該一半側及び他半側との４箇所には、それぞれ、複数の該通水孔が該第１の薬剤収納部及び第２の薬剤収納部の長手方向に一列に配列されており、各通水孔は該薬剤添加器の厚み方向中心から最も離隔した位置に配置されていることを特徴とするものである。
【０００７】
このシートとしては、合成樹脂フィルム、不織布又は織布よりなるフレキシブルなものが好適である。
【発明の効果】
【０００８】
本発明の薬剤添加器は、これを水面付近に浮遊させるようにして使用される。本発明では、薬剤の溶けムラが著しく少なくなるか又は解消されるが、この理由については次のように推察される。即ち、本発明の薬剤添加器では、薬剤収納部がシートで囲まれているため、通水孔近傍の薬剤の一部が溶け出して通水孔近傍に空所が生じた場合でも、シートが縮んだり、あるいは水流による押圧作用等により該空所に臨むシートが動いたりする。これにより、空所内の水が活発に動き、空所内のチャネリングが防止ないし抑制され、溶けムラが減少ないし解消するようになる。
【０００９】
なお、シートが合成樹脂フィルム、不織布又は織布よりなるフレキシブルなものである場合には、上記の作用が顕著となり、薬剤の溶けムラ解消効果が向上する。
【発明を実施するための最良の形態】
【００１０】
以下、図面を参照して本発明について詳細に説明する。図１は本発明の実施の形態に係る薬剤添加器を示すものであり、（ａ）図は斜視図、（ｂ），（ｃ），（ｄ）図は（ａ）図のｂ−ｂ線、ｃ−ｃ線、ｄ−ｄ線に沿う断面図、（ｅ）図は薬剤（錠剤）の斜視図である。
【００１１】
この薬剤添加器１は、外皮部分がシート２によって構成された、略々偏平板形状のものである。
【００１２】
このシート２は、半分に折り返されて一半側２ａと他半側２ｂとが形成されている。該一半側２ａと他半側２ｂとの間に、薬剤５を収納した薬剤収納部３と、浮力材６を収納した浮力材収納部４とが形成されている。薬剤収納部３に臨む一半側２ａ及び他半側２ｂには、それぞれ薬剤収納部３の長手方向に一定間隔をおいて多数の通水孔７が穿設されている。
【００１３】
この実施の形態では、一半側２ａと他半側２ｂとは同一大きさの長方形状であり、長方形の長辺方向に設けられた３条の接着部Ａ，Ｂ，Ｃによってそれぞれ該長辺方向に延在する薬剤収納部３，３及び浮力材収納部４が形成されている。なお、接着部Ａと薬剤添加器の一長側辺との間に１つの薬剤収納部３が形成され、接着部Ａ，Ｂ間に浮力材収納部４が形成され、接着部Ｂ，Ｃ間にもう１つの薬剤収納部３が形成されている。接着部Ｃは、一半側２ａと他半側２ｂの自由辺たる長手辺に沿って延在している。
【００１４】
長方形の一半側２ａと他半側２ｂとは、それらの短辺方向に延在する線状の接着部Ｄ，Ｅ，Ｆ，Ｇによっても接合されている。
【００１５】
接着部Ｄ，Ｅは、各収納部３，４の長手方向の両端側を封じている。接着部Ｆ，Ｇは、一半側２ａ及び他半側２ｂの短手辺の縁部に沿って延在している。
【００１６】
接着部Ｆ，Ｄ間及び接着部Ｅ，Ｇ間には、一半側２ａ及び他半側２ｂを貫通する開口８が設けられている。
【００１７】
シート２としては合成樹脂フィルム、不織布又は織布が好適である。シート２の厚さは０．０５〜０．２５ｍｍ特に０．１〜０．２ｍｍ程度が好適である。
【００１８】
接着部Ａ〜Ｇは、接着剤により形成されるのが好ましいが、シート２が熱可塑性合成樹脂フィルムよりなるときは熱融着でもよく、シート２が布よりなるときには縫合であってもよい。
【００１９】
薬剤５としては、スライム防止剤、スケール防止剤、腐蝕防止剤などを用いることができるが、これに限定されない。なお、この実施の形態では、薬剤５は打錠成形等により円盤形の錠剤とされている。円盤形の錠剤を多数積み重ねて円柱形とし、この円柱状体を薬剤収納部３に収納している。
【００２０】
浮力材６としては、発泡ポリスチレン、発泡ポリエチレン、空気袋等が好適であるが、これに限定されない。浮力材の容積は、薬剤収納部３，３の合計の容積の１〜３倍程度が好適である。
【００２１】
通水孔７の開口径（直径）は１〜１０ｍｍ特に２〜８ｍｍ程度が好適である。通水孔７同士の間隔は２〜５０ｍｍ特に５〜３０ｍｍ程度が好適である。
【００２２】
この実施の形態では、上記の通り、錠剤の円柱状積み重ね体を収容しているところから、薬剤収納部３は円筒形となっており、一半側２ａの通水孔７と他半側２ｂの通水孔７とは、円筒の軸心を挟んで直径方向に対峙している。また、各通水孔７は、偏平板形の薬剤添加器１の厚み方向中心から最も離隔した位置に配置されている。
【００２３】
このように構成された薬剤添加器１は、冷却塔の冷却水の水面付近に浮遊させるようにして使用される。この際、薬剤添加器１の開口８に紐等を通して係留し、薬剤添加器を所定範囲に位置させるようにしてもよい。また、開口８に通した紐や結合具によって複数の薬剤添加器１を繋いでもよい。
【００２４】
この薬剤添加器１内の薬剤５は、通水孔７を介して溶け出す。薬剤５は、まず通水孔７に近い箇所から溶け始める。薬剤５が溶けた部分は空所となるが、この空所に臨むシート２が水流や冷却塔内の落下水に叩かれるようにすることにより動き、空所内の水が活発に動き、空所内の偏流が防止されたり、空所内の水中の薬剤成分の拡散が促進される。
【００２５】
また、この実施の形態では、通水孔７が１列に配列されているので、各通水孔７に臨む溶け出し跡が繋がると、空所が薬剤収納部３の長手方向に一列に延在したものとなる。そうすると、シート２の張力によって該空所を縮少させるようにシート２が錠剤に接近する。このため、通水孔７が錠剤に近づき、錠剤から溶け出した薬剤成分が通水孔７に辿りつくまでの距離（拡散路長）が短くなる。これによっても、錠剤の溶解が促進される。通水孔７は、薬剤収納部３の一端から他端に等間隔で多数設けられているので、この薬剤収納部３内の薬剤は、薬剤収納部３の長手方向において全体として均等に溶け出す。このようなことから、この薬剤添加器１によると、薬剤の溶けムラが減少ないし解消する。
【００２６】
なお、この実施の形態では、浮力材収納部４の両サイドに薬剤収納部３，３が配置されているので、各薬剤収納部３，３から薬剤の溶け出しが進行しても、薬剤添加器１は傾いたりすることがなく、両サイドの薬剤収納部３，３から薬剤が均等に溶け出す。
【図面の簡単な説明】
【００２７】
【図１】本発明の実施の形態に係る薬剤添加器を示すものであり、（ａ）図は斜視図、（ｂ），（ｃ），（ｄ）図は（ａ）図のｂ−ｂ線、ｃ−ｃ線、ｄ−ｄ線に沿う断面図、（ｅ）図は薬剤（錠剤）の斜視図である。
【符号の説明】
【００２８】
１  薬剤添加器
２  シート
２ａ  シートの一半側
２ｂ  シートの他半側
３  薬剤収納部
４  浮力材収納部
５  薬剤
６  浮力材
７  通水孔
【図１】
0004626164.tif 000002